(57)【要約】  本発明は遊底が前進または後進可能に構成して実際の銃のような反動と、それによるスリルを感じることのできる玩具銃に関するものである。本発明に係る玩具銃は、模擬弾を発射するための本体と、前記本体の内部に設けられ、前記模擬弾が装填及び発射される過程で前進または後進する遊底アセンブリーと、前記本体の内部に設けられ、前記模擬弾の装填及び発射のために前記遊底アセンブリーを駆動させるための駆動部とを含み、前記駆動部は前記駆動部を駆動させる駆動モータの動力が伝達されるラチェットギアと、前記ラチェットギアから動力が伝達されて前記遊底アセンブリーを後進させるピストンギアと、前記ラチェットギアに伝達される動力を前記ピストンギアに選択的に伝達するラチェットアセンブリーとを含み、前記ラチェットアセンブリーは前記ラチェットギアを貫通して前記ラチェットギアを中に挟んだままで前記ピストンギアに結合されるピストンギアキャップ及び前記ピストンギアキャップに一方向に摺動されるように構成されるラチェッポールを含み、前記ピストンギアの内部面には前記ラチェットポールが挿入される係止溝が設けられて前記ラチェットポールが前記係止溝に挿入及び離脱されながら駆動モータの動力を前記ピストンギアに選択的に伝達することを特徴とする。
2019507315.tif 000002
【特許請求の範囲】
【請求項１】
模擬弾を発射するための本体と、
前記本体の内部に設けられ、前記模擬弾が装填及び発射される過程で前進または後進する遊底アセンブリーと、
前記本体の内部に設けられ、前記模擬弾の装填及び発射のために前記遊底アセンブリーを駆動させるための駆動部とを含み、
前記駆動部は、
前記駆動部を駆動させる駆動モータの動力が伝達されるラチェットギアと、
前記ラチェットギアから動力が伝達されて前記遊底アセンブリーを後進させるピストンギアと、
前記ラチェットギアに伝達される動力を前記ピストンギアに選択的に伝達するラチェットアセンブリーとを含み、
前記ラチェットアセンブリーは、
前記ラチェットギアを貫通して、前記ラチェットギアを中に挟んだままで前記ピストンギアに結合されるピストンギアキャップと、
前記ピストンギアキャップに一方向に摺動されるように構成されるラチェットポールとを含み、
前記ピストンギアの内周面には前記ラチェットポールが挿入される係止溝が設けられ、前記ラチェットポールが前記係止溝に挿入及び離脱されながら前記駆動モータの動力を前記ピストンギアに選択的に伝達することを特徴とする玩具銃。
【請求項２】
前記遊底アセンブリーの内部に設けられ、前記模擬弾を押し出して発射されるように設置されるピストンと、
前記ピストンの内部に設けられて、前記ピストンに弾性力を提供するピストンスプリングと、
前記ピストンスプリングに挿入されて、前記ピストンスプリングをガイドするスプリング支持部とを含み、
前記ピストンスプリングは前記スプリング支持部を囲みながら収縮され、前記スプリング支持部から遠くなる方向に膨張することを特徴とする請求項１に記載の玩具銃。
【請求項３】
前記駆動部に回動可能に設置されて、前記模擬弾を発射する使用者の操作によって前記模擬弾を発射させるための引き金と、
前記駆動部に設置されて前記駆動部に電源を供給及び遮断する駆動電源スイッチと、
前記ラチェットギアと連動して前記駆動電源スイッチの電源を供給する電源オン部と、
前記ラチェットギアと連動して前記駆動電源スイッチの電源を遮断する電源オフ部と、
前記引き金の一側に設置されて前記ピストンギアの突出部と係止または解除されるギア回転防止器と、
前記引き金を引いて前記ピストンが前進すると、前記ギア回転防止器が前記電源オン部を回動させて前記駆動電源スイッチがオンされ、前記駆動電源スイッチがオンされて前記ラチェットギアが回転すると、前記ピストンギアによって前記遊底アセンブリーが後退され、前記ラチェットギアが前記遊底アセンブリーを後退させると、前記ラチェットポールが前記電源オフ部を押し上げて前記駆動電源スイッチがオフされることを特徴とする請求項１に記載の玩具銃。
【請求項４】
前記ラチェットギアの一側に設けられて前記ラチェッポールに前記係止溝から離脱させるギア解除具を含み、
前記遊底アセンブリーが後退され、前記駆動電源スイッチがオフされると、前記ラチェットポールが前記ギア解除具に押されて前記係止溝から離脱されて前記ラチェットギアとピストンギアが分離され、前記駆動電源スイッチがオフ状態であるが、慣性力によって前記駆動モータが一部回転し、連動して前記ラチェットギアが駆動し、前記ピストンギアは前記ラチェットギアと分離された状態で前記ギア回転防止器に係止されて固定され、前記遊底が再び前進する時、前記ピストンギアと前記遊底との衝突を防止することを特徴とする請求項１または３に記載の玩具銃。
【請求項５】
前記駆動部の一側に設置されて前記駆動部と連結されて前記使用者の操作で前記模擬弾の発射状態を設定するための調整杆部を含み、
前記調整杆部を連発状態に置いた場合、前記引き金を引くと、前記引き金の上部と前記電源オン部が係止されて前記駆動電源スイッチが持続的にオン状態となることを特徴とする請求項１に記載の玩具銃。
【発明の詳細な説明】
【技術分野】
【０００１】
本発明は玩具銃に関し、より詳しくは遊底が前進または後進可能に構成されて実際の銃のような反動と、それによるスリルを感じることのできる玩具銃に関する。
【背景技術】
【０００２】
一般的に、玩具銃は実際の銃と類似した反動を感じることが難しいため、玩具銃を用いることにおいてスリルを感じることができなかった。ここに、実際の銃と類似した程度の反動を感じることができるようにピストンの内蔵された玩具銃を使用していた。しかしながら、従来の玩具銃は、単にピストンのみが設置されて実際の銃で反動を引き起こす遊底のような役割を担う構成品がなかったり、遊底が含まれていても連発で作動する際に遊底を駆動させるギア間の連結が円滑でなく、ギアが破損されるという問題点があった。
【発明の概要】
【発明が解決しようとする課題】
【０００３】
本発明は、前述のような従来技術の問題点を解決するために考案されたものであって、模擬弾が装填及び発射される過程で前進または後進する遊底アセンブリーを設置することにより、実際の銃のような反動を感じることのできる玩具銃を提供する。
【０００４】
また、選択的に結合または分離されるギアを設置することにより、連発時にギアの衝突なしで動作可能な玩具銃を提供する。
【０００５】
本発明が解決しようとする課題は前述の課題に制限されず、ここに言及されていない本発明が解決しようとするまた他の課題は以下の記載から、本発明が属する技術分野において通常の知識を有する者にとって明確に理解されるべきである。
【課題を解決するための手段】
【０００６】
本発明に係る玩具銃は、模擬弾を発射するための本体と、前記本体の内部に設けられ、前記模擬弾が装填及び発射される過程で前進または後進する遊底アセンブリーと、前記本体の内部に設けられ、前記模擬弾の装填及び発射のために前記遊底アセンブリーを駆動させるための駆動部とを含み、前記駆動部は、駆動モータの動力が伝達されるラチェットギアと、前記ラチェットギアから動力が伝達されて前記遊底アセンブリーを後進させるピストンギアと、前記ラチェットギアに伝達される動力を前記ピストンギアに選択的に伝達するラチェットアセンブリーとを含み、前記ラチェットアセンブリーは、前記ラチェットギアを貫通して、前記ラチェットギアを中に挟んだままで前記ピストンギアに結合されるピストンギアキャップと、前記ピストンギアキャップに一方向に摺動されるように構成されるラチェットポールとを含み、前記ピストンギアの内周面には前記ラチェットポールが挿入される係止溝が設けられ、前記ラチェットポールが前記係止溝に挿入及び離脱されながら前記駆動モータの動力を前記ピストンギアに選択的に伝達することを特徴とする。
【０００７】
また、本発明に係る玩具銃は、前記遊底アセンブリーの内部に設けられ、前記模擬弾を押し出して発射されるように設置されるピストンと、前記ピストンの内部に設けられて、前記ピストンに弾性力を提供するピストンスプリングと、前記ピストンスプリングに挿入されて、前記ピストンスプリングをガイドするスプリング支持部とを含み、前記ピストンスプリングは前記スプリング支持部を囲みながら収縮され、前記スプリング支持部から遠くなる方向に膨張することを特徴とする。
【０００８】
また、本発明に係る玩具銃は、前記駆動部に回動可能に設置されて、前記模擬弾を発射する使用者の操作によって前記模擬弾を発射させるための引き金と、前記駆動部に設置されて前記駆動部に電源を供給及び遮断する駆動電源スイッチと、前記ラチェットギアと連動して前記駆動電源スイッチの電源を供給する電源オン部と、前記ラチェットギアと連動して前記駆動電源スイッチの電源を遮断する電源オフ部と、前記引き金の一側に設置されて前記ピストンギアの突出部と係止または解除されるギア回転防止器と、前記引き金を引いて前記ピストンが前進すると、前記ギア回転防止器が前記電源オン部を回動させて前記駆動電源スイッチがオンされ、前記駆動電源スイッチがオンされて前記ラチェットギアが回転すると、前記ピストンギアによって前記遊底アセンブリーが後退され、前記ラチェットギアが前記遊底アセンブリーを後退させると、前記ラチェットポールが前記電源オフ部を押し上げて前記駆動電源スイッチがオフされることを特徴とする。
【０００９】
また、本発明に係る玩具銃は、前記ラチェットギアの一側に設けられて前記ラチェッポールに前記係止溝から離脱させるギア解除具を含み、前記遊底アセンブリーが後退され、前記駆動電源スイッチがオフされると、前記ラチェットポールが前記ギア解除具に押されて前記係止溝から離脱されて前記ラチェットギアとピストンギアが分離され、前記駆動電源スイッチがオフ状態であるが、慣性力によって前記駆動モータが一部回転し、連動して前記ラチェットギアが駆動し、前記ピストンギアは前記ラチェットギアと分離された状態で前記ギア回転防止器に係止されて固定され、前記遊底が再び前進する時、前記ピストンギアと前記遊底との衝突を防止することを特徴とする。
【００１０】
また、本発明に係る玩具銃は、前記駆動部の一側に設置されて前記駆動部と連結されて前記使用者の操作で前記模擬弾の発射状態を設定するための調整杆部を含み、前記調整杆部を連発状態に置いた場合、前記の引き金を引くと、前記引き金の上部と前記電源オン部が係止されて前記駆動電源スイッチが持続的にオン状態となることを特徴とする。
【発明の効果】
【００１１】
本発明の一実施例によれば、模擬弾が装填及び発射される過程で前進または後進する遊底アセンブリーを設置することにより、実際の銃のような反動を感じることのできる玩具銃が提供される。
【００１２】
また、選択的に結合または分離されるギアを設置することにより、連発時にギアの衝突なしで動作可能な玩具銃が提供される。
【００１３】
また、ピストンギアキャップの溝に挿入されるラチェットポールが外接する面積が広いため、大きな動力をピストンギアに伝達することができ、したがって、ピストンギアが後進させる遊底アセンブリーも重くすることができるため、実際の銃に類似した重みを感じることができる効果がある。
【００１４】
また、引き金を引いて模擬弾が発射され、再び装填される一連の過程が適切なサイクルのタイミングを有するため、自然な作動が可能な効果がある。
【図面の簡単な説明】
【００１５】
【図１】本発明に係る玩具銃の全体の様子を示した断面図である。
【図２】本発明に係る玩具銃の駆動部の様子を示した図である。
【図３】本発明に係る玩具銃の駆動部の部品分解図の様子を示した図である。
【図４】本発明に係る玩具銃の第３ギアの様子を示した図である。
【図５】本発明に係る玩具銃の第３ギアの様子を示したブロック図である。
【図６】本発明に係る玩具銃のラチェットポールによってピストンギアとラチェットギアが結合され、分離される様子を示した図である。
【図７】本発明に係る玩具銃の単発及び連発状態で１段階の発射行程図の様子を示した図である。
【図８】本発明に係る玩具銃の単発及び連発状態で２段階の発射行程図の様子を示した図である。
【図９】本発明に係る玩具銃の単発及び連発状態で３段階の発射行程図の様子を示した図である。
【図１０】本発明に係る玩具銃の単発及び連発状態で４段階の発射行程図の様子を示した図である。
【図１１】本発明に係る玩具銃の単発状態で５段階の発射行程図の様子を示した図である。
【図１２】本発明に係る玩具銃の単発状態で６段階の発射行程図の様子を示した図である。
【図１３】本発明に係る玩具銃の単発状態で７段階の発射行程図の様子を示した図である。
【図１４】本発明に係る玩具銃の単発状態で８段階の発射行程図の様子を示した図である。
【図１５】本発明に係る玩具銃の連発状態で５段階の発射行程図の様子を示した図である。
【図１６】本発明に係る玩具銃の連発状態で６段階の発射行程図の様子を示した図である。
【図１７】本発明に係る玩具銃の連発状態で７段階の発射行程図の様子を示した図である。
【図１８】本発明に係る玩具銃の連発状態で８段階の発射行程図の様子を示した図である。
【図１９】本発明に係る玩具銃の連発状態で９段階の発射行程図の様子を示した図である。
【図２０】本発明に係る玩具銃の連発状態で１０段階の発射行程図の様子を示した図である。
【図２１】本発明に係る玩具銃の連発状態で１１段階の発射行程図の様子を示した図である。
【図２２】本発明に係る玩具銃の連発状態で１２段階の発射行程図の様子を示した図である。
【図２３】本発明に係る玩具銃の連発状態で１３段階の発射行程図の様子を示した図である。
【発明を実施するための形態】
【００１６】
以上のような本発明に対する解決しようとする課題、課題を解決するための手段、発明の効果を含む具体的な事項は、次に記載する実施例及び図面に含まれている。本発明の利点及び特徴、そしてそれらを達成する方法は添付の図面と共に詳細に後述されている実施例を参照すれば明確になるものである。
【００１７】
以下、添付の図面を参照して本発明をより詳細に説明する。
【００１８】
図１〜図２３に示されたように、本発明に係る玩具銃１００は本体２００、遊底アセンブリー３００、駆動部４００を含む。
【００１９】
まず、本体２００が設けられる。
【００２０】
具体的に、前記本体２００は、弾倉から供給される模擬弾が装着される薬室２１０と、前記薬室と連結される銃身２２０と、使用者が把持するように形成されるグリップ２３０とで構成される。
【００２１】
次に、前記本体２００の内部に遊底アセンブリー３００が設けられる。
【００２２】
具体的に、前記遊底アセンブリー３００は、前記本体２００の内部で前進または後進しながら前記模擬弾が装填及び発射されるようにする。前記遊底アセンブリー３００は下記遊底３５０と前進または後進しながら実際の銃のような反動及び打撃感を感じさせる役割をする。前記遊底アセンブリー３００はピストン３２０、遊底平ギア３１０、遊底３５０を含む。
【００２３】
ピストン３２０は前記遊底アセンブリー３００の内部に設けられ、前記模擬弾が発射される方向に弾性力が働くように設置される。前記ピストン３２０はピストンスプリング３３０、スプリング支持部３４０を含む。
【００２４】
ピストンスプリング３３０は前記ピストン３２０の内部に設置される。前記ピストンスプリング３３０は前記遊底アセンブリー３００によって収縮され、下記引き金４１０を引くと、膨張しながら前記ピストン３２０を前進させて前記模擬弾を発射させる。
【００２５】
スプリング支持部３４０は前記ピストン３２０の内部の後側に棒状に形成される。前記ピストンスプリング３３０は前記スプリング支持部３４０の前方から挿入されて前記スプリング支持部３４０の後側に固定される。前記スプリング支持部３４０は前記ピストンスプリング３３０が収縮及び膨張する時、前記ピストンスプリング３３０をガイドして、前記ピストンスプリング３３０が歪んだり、縺れて壊れたり、前記模擬弾を発射する時、十分な圧力が伝達されなくなることを防止する役割をする。
【００２６】
遊底平ギアは前記遊底アセンブリー２００の下部に設けられる。前記遊底平ギア３１０は下記ギア部５００のピストンギア６１０と選択的に結合されて移動する。
【００２７】
遊底３５０は前記遊底アセンブリー３００に設けられる。前記遊底３５０は前記遊底アセンブリー３００の中で前記ピストン３２０を除いた部分であって、前記ピストン３２０が挿入される。前記遊底３５０は前記ピストン３２０と共に後進し、前進する時は前記ピストン３２０が下記シアー５４０に係止されて固定されるため単独で前進することになる。
【００２８】
次に、前記遊底アセンブリー３００の下部に駆動部４００が設けられる。
【００２９】
具体的に、前記駆動部４００は、前記模擬弾の装填及び発射のために前記遊底アセンブリー３００を駆動させる役割をする。前記駆動部４００はギア部５００、引き金４１０、駆動電源スイッチ４２０、電源オン部４３０、電源オフ部４４０、ギア回転防止器４５０、調整杆部４６０を含む。
【００３０】
ギア部５００は前記駆動部４００の内部に複数のギアで設けられ、前記グリップ２３０の内部に設けられた駆動モータ２４０と連結されて動力が伝達されて前記模擬弾の装填及び発射のための役割をする。前記ギア部５００は第１ギア５１０、第２ギア５２０、第３ギア６００、ギア解除具５３０、シアー５４０を含む。
【００３１】
第１ギア５１０は前記駆動モータ２４０と連結されて動力が伝達される。
【００３２】
第２ギア５２０は前記第１ギア５１０と下記第３ギア６００を連結し、前記第１ギア５１０から動力が伝達される。
【００３３】
第３ギア６００は前記第２ギア５２０と連結されて動力が伝達される。図４及び図６に示されたように、前記第３ギア６００はピストンギア６１０、ラチェットギア６２０、ラチェットアセンブリー６７０を含む。
【００３４】
ピストンギア６１０は外周面の半分のみギアが形成され、一側に突出部が設けられる。前記ピストンギア６１０は前記遊底アセンブリー３００の下端に設けられる遊底平ギア３１０と選択的に結合される。前記ピストンギア６１０は前記遊底平ギア３１０と結合されて、前記遊底アセンブリー３００を後進させる役割をする。
【００３５】
ラチェットギア６２０は内部に収容可能な空間が形成され、前記空間には係止溝６６０が設けられる。前記ラチェットギア６２０は外周面にギアが形成されて前記ピストンギア６１０の一側に位置される。
【００３６】
ピストンギアキャップ６３０は前記ラチェットギア６２０の内部空間を貫通して前記ピストンギア６１０に結合され、前記ラチェットギア６２０及びピストンギア６１０を結合させる。
【００３７】
ラチェットアセンブリー６７０は前記ラチェットギアに伝達される動力を前記ピストンギアに選択的に伝達する。前記ラチェットアセンブリー６７０はピストンギアキャップ６３０、ラチェットポール６４０、ラチェットポールスプリング６５０を含む。
【００３８】
ラチェットポール６４０は前記ピストンギアキャップ６３０に設けられた空間に結合される。前記ラチェットポール６４０は前記ピストンギア６１０が前記ラチェットギア６２０と選択的に結合または分離されるようにする。
【００３９】
ラチェットポールスプリング６５０は前記ラチェットポール６４０が結合される前記ピストンギアキャップ６３０に設けられる空間に設置され、前記ラチェットポール６４０よりも内側に設置されて、前記ラチェットポール６４０を外側に押し出す。
【００４０】
前記ピストンギアキャップ６３０が回転する時、前記ラチェットポール６４０が前記ラチェットギア６２０の係止溝６６０に係止されると、前記ラチェットギア６２０及びピストンギア６１０が結合されて共に回転し、前記ラチェットポール６４０が前記第３ギア６００の一側に設けられる下記ギア解除具５３０によって前記係止溝６６０から離脱されると、前記ラチェットギア６２０及びピストンギア６１０の結合が解除されて前記ラチェットギア６２０のみが回転することになる。
【００４１】
図６には前記ラチェットギア６２０とピストンギア６１０が結合または分離される様子が示されている。図６の（ａ）は前記ラチェットギア６２０とピストンギア６１０が結合される前の様子である。図６の（ｂ）は前記ラチェットギア６２０の係止溝６６０に前記ラチェットポールスプリング６５０によって外側に押される前記ラチェットポール６４０が結合されて前記ラチェットギア６２０とピストンギア６１０が結合された様子である。図６の（ｃ）は前記ラチェットポール６４０が下記ギア解除具５３０に係止される様子である。図６の（ｄ）は前記ラチェットポール６４０が下記ギア解除具５３０に係止されて前記係止溝６６０から離脱されて前記ラチェットギア６２０とピストンギア６１０の結合が分離される様子である。図６の（ｅ）は分離された前記ラチェットギア６２０とピストンギア６１０が別に駆動する様子である。
【００４２】
ギア解除具５３０は前記第３ギア６００の一側に設けられる。前記ギア解除具５３０は前記係止溝６６０に結合されて回転する前記ラチェットポール６４０を前記係止溝６６０から離脱させる。前記ラチェットポール６４０が前記係止溝６６０から離脱されると、前記ラチェットギア６２０と前記ピストンギア６１０が分離される。
【００４３】
シアー５４０は前記駆動部４００の後側上部に上方へ突出して回転可能に設置される。前記シアー５４０は前記遊底アセンブリー３００が後進された後、前進される時、前記遊底アセンブリー３００の内部のピストン３２０を後進されたまま係止する役割をする。そして、前記シアー５４０は前記引き金４１０を作動させると、前記後進されたまま係止されていた前記ピストン３２０を係止解除させて前記ピストン３２０が前進することができるようにする。
【００４４】
引き金４１０は前記グリップ２３０の前方に配置され、使用者の操作によって回動して前記模擬弾を発射させる役割をする。
【００４５】
駆動電源スイッチ４２０は前記駆動部４００の一側に設けられる。前記駆動電源スイッチ４２０は前記ギア部５００と連動して電源を供給及び遮断する役割をする。
【００４６】
電源オン部４３０は前記第３ギア６００と連動して単発、連発駆動の際に前記駆動電源スイッチ４２０の電源を供給する。
【００４７】
電源オフ部４４０は前記第３ギアと連動して単発、連発駆動の際に前記駆動電源スイッチ４２０の電源を遮断する。
【００４８】
ギア回転防止器４５０は前記引き金４１０の一側に設けられる。前記ギア回転防止器４５０は前記ピストンギア６１０の突出部と係止または解除される。すなわち、前記ギア回転防止器４５０は前記ピストンギア６１０の突出部と係止されると、前記ピストンギア６１０を回転しないように固定し、前記ピストンギア６１０の突出部と係止解除されると、前記ピストンギア６１０を回転可能とするものである。前記引き金４１０を引くと、前記ギア回転防止器４５０が前記電源オン部４３０を回動させて前記駆動電源スイッチ４２０がオンとなる。
【００４９】
調整杆部４６０は前記駆動部４００の一側に設置され、前記ギア部５００と連結されて使用者の操作で前記模擬弾の発射状態を設定する役割をする。前記調整杆部４６０は前記模擬弾の発射状態を安全、単発、連発に設定可能である。
【００５０】
以下、前述のような構成を有する本発明に係る玩具銃１００の作用を段階別に詳細に説明する。
【００５１】
まず、発射準備段階である。まだ何らの作動もしていない段階である（１段階）。
【００５２】
次に、装填グリップ３６０を引っ張る。前記装填グリップ３６０を引っ張ると、内部の遊底アセンブリー３００が後退してシアー５４０に前記ピストン３２０が係止され、ピストンスプリング３３０が圧縮される（２段階）。
【００５３】
次に、装填グリップ３６０を前進させる。前記装填グリップ３６０を前進させると、内部の遊底３５０が前進し、前記ピストン３２０は前記シアー５４０に係止されて後退したまま固定される。この時、前記ピストンスプリング３３０は圧縮状態であり、前記遊底３５０の内部は空気が流入し、模擬弾が１発装填される（３段階）。
【００５４】
次に、引き金４１０を引く。前記引き金４１０を引くと、前記ピストン３２０が前記シアー５４０から離脱されて前進し、薬室に装填された前記模擬弾を発射させる（４段階）。
【００５５】
前記の１段階〜４段階は単発及び連発の場合、いずれも適用される過程であって、前記模擬弾が一発発射される過程までは同じく適用される。前記の１段階〜４段階は図７〜図１０に示されている。
【００５６】
まず、単発の場合、４段階以降の段階を説明する。調整杆部４６０を単発の位置に置く。
【００５７】
次に、前記引き金４１０を引くと、前記引き金４１０の一側に設置されるギア回転防止器４５０が回動して前記ピストンギア６１０との係止が解除され、前記電源オン部を回動させて前記駆動電源スイッチ４２０がオンされる。前記駆動電源スイッチ４２０がオンされると、前記ギア回転防止器４５０が解除された前記第３ギア６００は回転を始める（単発５段階）。
【００５８】
次に、前記第３ギア６００が回転しながら遊底平ギア３１０と結合されて前記遊底アセンブリー３００の後進を準備する。電源オン部４３０が電源オフ部４４０に係止された状態であり、前記シアー係止具５５０が前記引き金４１０から離脱された状態である（単発６段階）。
【００５９】
次に、前記第３ギア６００が前記遊底アセンブリー３００を後退させ、前記遊底平ギア３１０と離脱される。前記第３ギア６００のラチェットギア６２０とピストンギア６１０は結合された状態であり、前記第３ギア６００に設置されるラチェットポール６４０が電源オフ部４４０を押し上げて前記駆動電源スイッチ４２０がオフされる（単発７段階）。
【００６０】
次に、後進された前記遊底アセンブリー３００は前記遊底アセンブリー３００の後方に設けられた遊底前進器によって再度前進し、前記模擬弾が１発装填される。前記第３ギア６００のラチェットポール６４０がギア解除具５３０によって前記ラチェットギア６２０の係止溝６６０から離脱され、結合された状態であった前記ラチェットギア６２０とピストンギア６１０が解除され、前記駆動電源スイッチ４２０がオフ状態であるが、慣性力によって前記第１ギア５１０、第２ギア５２０及び第３ギア６００が駆動することになる。この時、前記第３ギア６００のラチェットギア６２０は駆動するが、前記ピストンギア６１０は前記ギア回転防止器４５０によって止まることになる。前記遊底３５０が再び前進するまで前記ピストンギア６１０は回転しない。前記遊底３５０が前進する時、前記ピストンギア６１０と衝突することを防止するものである（単発８段階）。前記単発５段階〜単発８段階は図１１〜図１４に示されている。
【００６１】
その後、前記引き金を引くと、前記１段階〜単発８段階が繰り返される。
【００６２】
次に、連発の場合、４段階以降の段階を説明する。調整杆を連発位置に置く。
【００６３】
次に、前記引き金４１０を引くと、前記ピストン３２０が前進する。前記ギア回転防止器４５０が回動して前記ピストンギア６１０の突出部と解除され、前記電源オン部４３０を回動させて前記駆動電源スイッチ４２０がオンされる。そして、ギア結合器５６０とピストンギアキャップ６３０の突出部が解除され、前記第３ギア６００の回転が始まる（連発５段階）。
【００６４】
次に、前記引き金４１０を引くことになると、前記引き金４１０の上部と前記電源オン部４３０の端部が係止されて連発状態で前記引き金４１０を引くと、持続的に前記駆動電源スイッチ４２０がオンされる。前記第３ギア６００のラチェットギア６２０と前記ピストンギア６１０は結合状態である。前記引き金４１０に前記シアー係止具５５０が離脱され、前記第３ギア６００が回転して前記遊底平ギア３１０と結合され、前記遊底アセンブリー３００の後進が準備される（連発６段階）。
【００６５】
次に、前記第３ギア６００が前記遊底アセンブリー３００を後退させ、前記遊底平ギア３１０と離脱される。前記遊底３５０の下端の一側に形成された一字状の溝にギア結合作動器５７０が持ち上げられ、連動して前記ギア結合器５６０が前記ピストンギアキャップ６３０の突起に係止の直前に位置される。前記第３ギア６００のラチェットギア６２０と前記ピストンギア６１０は結合状態である（連発７段階）。
【００６６】
次に、前記シアー５４０に前記ピストン３２０が係止され、前記遊底３５０が前進中であり、前記模擬弾が１発装填中である。前記引き金４１０を引いて前記引き金４１０の上部と電源オン部４３０が係止されて連発状態で前記引き金４１０を引くと、持続的に前記駆動電源スイッチ４２０がオンされる。前記第３ギア６００のラチェットポール６４０が前記ギア解除具５３０によって前記係止溝６６０から離脱されて前記ラチェットギア６２０とピストンギア６１０が分離される。前記ギア結合器５６０は前記ピストンギアキャップ６３０の突起に係止される。前記ラチェットギア６２０は駆動するが、前記ピストンギア６１０は駆動せずに固定される。前記遊底３５０が再び前進する間、前記ピストンギア６１０は回転せずに固定されるため、前記遊底３５０とピストンギア６１０の衝突が防止される（連発８段階）。前記連発５段階〜連発８段階は図１５〜図１８に示されている。
【００６７】
次に、前記遊底３５０が前進しながら前記遊底３５０の下部突起が前記ギア結合作動器５７０を押し、連動する前記ギア解除具５３０が前記ピストンギア６１０の突起と分離される。前記遊底３５０が前進しながら前記遊底３５０の後尾の下部に形成される突出部に前記連発シアー作動器５９０が係止されて前記連発シアー作動器５９０が回転し、前記シアー５４０と結合されて前記シアー５４０を作動させるシアー作動器５８０を前進させる。前記シアー作動器５８０とシアー５４０の結合が分離され、前記シアー５４０に前記ピストン３２０が離脱されて前記ピストン３２０が前進する（連発９段階）。
【００６８】
次に、前記引き金４１０が前記シアー係止具５５０と離脱され、前記第３ギア６００が回転して前記遊底平ギア３１０と結合され、前記遊底アセンブリー３００の後進を準備する（連発１０段階）。
【００６９】
次に、前記引き金４１０を放すと、前記第３ギア６００は回転して前記遊底アセンブリー３００を後退させ、前記遊底平ギア３１０と離脱する直前に位置する。前記引き金４１０を放しても前記電源オン部４３０と電源オフ部４４０が結束されて前記駆動電源スイッチ４２０がオンされる（連発１１段階）。
【００７０】
次に、前記第３ギア６００が回転し、前記遊底３５０は前進し、前記ピストン３２０は前記シアー５４０に係止され、前記模擬弾が１発装填される。前記ラチェットポール６４０が回転しながら前記電源オフ部４４０を押し上げて電源オン部４３０と電源オフ部４４０が係止解除されて、電源オン部４３０が元の位置に戻って前記駆動電源スイッチが４２０オフされる。前記電源オン部４３０が元の位置に戻って前記シアー連発作動器５９０が元の位置となる（連発１２段階）。
【００７１】
次に、前記第３ギア６００のラチェットポール６４０が前記ギア解除具５３０に解除されて前記ラチェットギア６２０と前記ピストンギア６１０が分離される。そして、前記駆動モータ２４０の電源はオフされるが、慣性力によって前記駆動モータ２４０が一部回転し、連動した前記第１ギア５１０、第２ギア５２０、第３ギア６００が駆動される。前記第３ギア６００のラチェットギア６２０は駆動するが、前記ピストンギア６１０は前記ギア回転防止器４５０に係止されて駆動せずに止まる。前記遊底３５０が前進する間、前記ピストンギア６１０は回転せず、前記遊底３５０と前記ピストンギア６１０の衝突を防止する（連発１３段階）。前記連発９段階〜連発１３段階は図１９〜図２３に示されている。その後、前記引き金４１０を引くと、前記１段階〜連発１３段階が繰り返される。
【００７２】
このように、前述の本発明の技術的構成は、本発明が属する技術分野において通常の知識を有する者が本発明におけるその技術的思想や必須的特徴を変更せずに他の具体的な形態で実施され得るということを理解すべきである。
【００７３】
したがって、前述の実施例は全ての面において例示的なものであり、限定的でないものとして理解されるべきであり、本発明の範囲は前記詳細な説明よりは後述する特許請求の範囲によって示され、特許請求の範囲の意味及び範囲、そしてその等価概念から導出される全ての変更または変形された形態が本発明の範囲に含まれるものと解釈されるべきである。
【符号の説明】
【００７４】
１００…玩具銃
２００…本体
２１０…薬室
２２０…銃身
２３０…グリップ
２４０…駆動モータ
３００…遊底アセンブリー
３１０…遊底平ギア
３２０…ピストン
３３０…ピストンスプリング
３４０…スプリング支持部
３５０…遊底
３６０…装填グリップ
４００…駆動部
４１０…引き金
４２０…駆動電源スイッチ
４３０…電源オン部
４４０…電源オフ部
４５０…ギア回転防止器
４６０…調整杆部
５００…ギア部
５１０…第１ギア
５２０…第２ギア
５３０…ギア解除具
５４０…シアー
５５０…シアー係止具
５６０…ギア結合器
５７０…ギア結合作動器
５８０…シアー作動器
５９０…連発シアー作動器
６００…第３ギア
６１０…ピストンギア
６２０…ラチェットギア
６３０…ピストンギアキャップ
６４０…ラチェットポール
６５０…ラチェットポールスプリング
６６０…係止溝
６７０…ラチェットアセンブリー
【図１】
2019507315.tif 000003
【図２（ａ）】
2019507315.tif 000004
【図２（ｂ）】
2019507315.tif 000005
【図３】
2019507315.tif 000006
【図４】
2019507315.tif 000007
【図５】
2019507315.tif 000008
【図６（ａ）】
2019507315.tif 000009
【図６（ｂ）】
2019507315.tif 000010
【図６（ｃ）】
2019507315.tif 000011
【図６（ｄ）】
2019507315.tif 000012
【図６（ｅ）】
2019507315.tif 000013
【図７】
2019507315.tif 000014
【図８】
2019507315.tif 000015
【図９】
2019507315.tif 000016
【図１０】
2019507315.tif 000017
【図１１】
2019507315.tif 000018
【図１２】
2019507315.tif 000019
【図１３】
2019507315.tif 000020
【図１４】
2019507315.tif 000021
【図１５】
2019507315.tif 000022
【図１６】
2019507315.tif 000023
【図１７】
2019507315.tif 000024
【図１８】
2019507315.tif 000025
【図１９】
2019507315.tif 000026
【図２０】
2019507315.tif 000027
【図２１】
2019507315.tif 000028
【図２２】
2019507315.tif 000029
【図２３】
2019507315.tif 000030
【国際調査報告】
2019507315.tif 000031
2019507315.tif 000032
2019507315.tif 000033
2019507315.tif 000034